(57)【要約】【課題】サーバ装置を提供する。【解決手段】サーバ装置は、シャーシと、少なくとも１つのネットワーク交換機と、複数のサーバコンピュータと、複数の信号送受信ケーブルと、を備える。ネットワーク交換機は、シャーシ内に位置し、シャーシの前方開口に位置する複数の第１の入出力インターフェースを含む。サーバコンピュータが、それぞれシャーシ内に重なり合って位置する。複数のサーバコンピュータのそれぞれが、シャーシの前方開口に位置する複数の第２の入出力インターフェースを含む。全ての信号送受信ケーブルが、何れも前記シャーシの前方開口に位置し、それぞれ工具なしで第１の入出力インターフェースと第２の入出力インターフェースに接続され、シャーシの内壁に固定される。【選択図】図２
2015153416.tif 000002
【特許請求の範囲】
【請求項１】
収納空間と、対向して設けられた、前記収納空間につながっている前方開口を有する前面及び後面とを有するシャーシと、
前記収納空間内に位置し、何れも前記前方開口に位置する複数の第１の入出力インターフェースを含む少なくとも１つのネットワーク交換機と、
それぞれ前記収納空間内に重なり合って位置し、何れも前記前方開口に位置する複数の第２の入出力インターフェースを含む複数のサーバコンピュータと、
それぞれ工具なしで前記第１の入出力インターフェースと前記第２の入出力インターフェースに接続され、前記シャーシの少なくとも１つの内壁に固定される複数の信号送受信ケーブルと、
を備えるサーバ装置。
【請求項２】
前記信号送受信ケーブルは、前記シャーシの前記少なくとも１つの内壁に固定され、前記前方開口に近接する請求項１に記載のサーバ装置。
【請求項３】
前記信号送受信ケーブルは、前記シャーシの前記少なくとも１つの内壁に並んで固定され、前記前方開口に近接する請求項１に記載のサーバ装置。
【請求項４】
前記信号送受信ケーブルが、少なくとも１つの導線層のように並んで形成され、また、前記シャーシが、前記導線層の前記信号送受信ケーブルを覆い、これらを前記シャーシの前記少なくとも１つの内壁に固定する少なくとも１つのケーブルマネジメントカバーを含む請求項１に記載のサーバ装置。
【請求項５】
前記ケーブルマネジメントカバーにより覆われた前記信号送受信ケーブルは、前記ケーブルマネジメントカバーから部分的に露出する請求項４に記載のサーバ装置。
【請求項６】
前記少なくとも１つの導線層が複数ある場合、前記導線層は、互いに重ね合わせる請求項４に記載のサーバ装置。
【請求項７】
前記シャーシの前記内壁に、前記少なくとも１つの導線層の前記信号送受信ケーブルを収納し固定するためのケーブルマネジメント溝が凹設される請求項４に記載のサーバ装置。
【発明の詳細な説明】
【技術分野】
【０００１】
本発明は、サーバ装置に関し、特に、ケーブルマネジメントをしやすいサーバ装置に関する。
【背景技術】
【０００２】
現在、業界で提供されているサーバ装置は、サーバのシャーシと、複数のサーバコンピュータと、を備える。これらのサーバコンピュータは、サーバのシャーシにより支持され、移動可能にそれぞれサーバのシャーシの前方に引き出される。これらのサーバコンピュータの配線が何れもサーバのシャーシの後方から露出するように設計されるので、業者は、サーバ装置をメンテナンスし又は交換する時に、サーバ装置から関連する作業部品を取り出すために、サーバのシャーシの後方まで回り込み、又はサーバのシャーシのケースを取り外して、サーバ装置の後方から関連線材を取り除く必要がある。
【発明の概要】
【発明が解決しようとする課題】
【０００３】
しかしながら、いかに迅速にサーバのシャーシからサーバ装置を引き出し又はサーバのケースを取り外しても、依然として時間をかけてサーバ装置上の関連線材を取り除く必要があり、時間とコストがかかるだけでなく、取り付け／取り外し過程が不便である。また、サーバのシャーシの後方は、一般的にこれらのサーバコンピュータの熱風出口である。従って、健康の観点から、メンテナンス係が、この高温の環境で長時間働くことは好ましくない。
【０００４】
このため、上記問題を解決し、業者が競争で優位に立つことを可能にする解決策の提供は、解決が望まれている重要な課題である。
【課題を解決するための手段】
【０００５】
上記に鑑みて、本発明の一目的は、上記の背景技術で言及した不便と欠陥を解決するためのサーバ装置を提供することにある。
【０００６】
上記目的を達するために、本発明の一実施形態によると、かかるサーバ装置は、シャーシと、少なくとも１つのネットワーク交換機と、複数のサーバコンピュータと、複数の信号送受信ケーブルと、を備える。シャーシは、収納空間と、対向して設けられた前面及び後面とを有する。この前面は、収納空間につながっている前方開口を有する。ネットワーク交換機は、収納空間内に位置し、何れも前方開口に位置する複数の第１の入出力インターフェースを含む。サーバコンピュータは、それぞれ収納空間内に重なり合って位置し、複数のサーバコンピュータのそれぞれが何れも前方開口に位置する複数の第２の入出力インターフェースを含む。信号送受信ケーブルは、それぞれ工具なしで第１の入出力インターフェースと第２の入出力インターフェースに接続され、シャーシの少なくとも１つの内壁に固定される。
【０００７】
本発明の１つ又は複数の実施形態において、これらの信号送受信ケーブルは、シャーシの内壁に固定され、前方開口に近接し、更には、シャーシの内壁に並んで固定され、前方開口に近接する。
【０００８】
本発明の１つ又は複数の実施形態において、これらの信号送受信ケーブルが、少なくとも１つの導線層のように並んで形成され、また、シャーシが、導線層のこれらの信号送受信ケーブルを覆い、且つこれらをシャーシの内壁に固定する少なくとも１つのケーブルマネジメントカバーを含む。
【０００９】
本発明の１つ又は複数の実施形態において、ケーブルマネジメントカバーにより覆われたこれらの信号送受信ケーブルは、ケーブルマネジメントカバーから部分的に露出する。
【００１０】
本発明の１つ又は複数の実施形態において、これらの信号送受信ケーブルは、互いに重ね合わせる複数の導線層のように並んで形成される。
【００１１】
本発明の１つ又は複数の実施形態において、シャーシの内壁に、この導線層のこれらの信号送受信ケーブルを収納し固定するためのケーブルマネジメント溝が凹設される。
【００１２】
本発明の１つ又は複数の実施形態において、複数のサーバコンピュータのそれぞれは、トレイと、マザーボードモジュールと、を含む。トレイは、収納空間内に挿抜可能に位置する。マザーボードモジュールは、トレイに固定され、これらの第２の入出力インターフェースが電気的に接続されて設けられる。
【００１３】
本発明の１つ又は複数の実施形態において、少なくとも１つのネットワーク交換機が複数ある場合、これらのネットワーク交換機が、収納空間内に重なり合って位置し、複数のサーバコンピュータのそれぞれが、これらの信号送受信ケーブルによってこれらのネットワーク交換機に並列接続される。
【発明の効果】
【００１４】
このように、本発明のサーバ装置の設計によって、メンテナンス係は、サーバ装置をメンテナンスし又は検査する前に、シャーシの後方開口まで回り込み、又はシャーシを取り外して、後方開口から関連線材を取り除くことなく、近いシャーシの前方開口から複数のサーバコンピュータのそれぞれに対して操作・交換・抽出を行い、更に、線材を取り除くことができ、メンテナンス又は検査にかかる時間を短くすることができる。
【００１５】
以下の実施形態で上記の説明について詳しく叙述し、本発明の技術的思想に関してさらに説明を提供する。
【図面の簡単な説明】
【００１６】
【図１】本発明のサーバ装置を示す斜視図である。
【図２】図１の領域Ｍの部分拡大図である。
【図３】図１の１つのサーバコンピュータの模式図である。
【発明を実施するための形態】
【００１７】
以下、図面で本発明の複数の実施形態を開示し、明らかに説明するために、下記叙述で多くの実際の細部を合わせて説明する。しかしながら、理解すべきなのは、これらの実際の細部が、本発明を制限するためのものではない。つまり、本発明の実施形態の一部において、これらの実際の細部は、必ずしも必要ないものである。また、図面を簡略化するために、ある従来慣用の構造及び素子は、図面において簡単で模式的に示される。
【００１８】
図１は、本発明のサーバ装置１００を示す斜視図である。図２は、図１の領域Ｍの部分拡大図である。図１と図２に示すように、本発明のサーバ装置１００は、シャーシ１１０と、少なくとも１つのネットワーク交換機１２０と、複数のサーバコンピュータ１３０と、複数の信号送受信ケーブル１４０と、を備える。シャーシ１１０は、対向して設けられた前面１１２と後面１１４、及び前面１１２と後面１１４との間に介在する収納空間１１１を有する。前面１１２は、収納空間１１１につながっている前方開口１１３を有する。ネットワーク交換機１２０は、シャーシ１１０の中に位置し、何れもシャーシ１１０の前方開口１１３から露出し、又は少なくともシャーシ１１０の前方開口１１３に位置する複数の第１の入出力インターフェース１２２を含む。サーバコンピュータ１３０は、それぞれシャーシ１１０の中に重なり合って位置し、何れもシャーシ１１０の前方開口１１３から露出し、又は少なくともシャーシ１１０の前方開口１１３に位置する複数の第２の入出力インターフェース１３４を含む。信号送受信ケーブル１４０は、それぞれ工具なしで第１の入出力インターフェース１２２と第２の入出力インターフェース１３４に接続され、シャーシ１１０の内壁１１５に固定される。
【００１９】
このように、上記設計によって、メンテナンス係は、いずれかのサーバコンピュータ１３０をメンテナンスし又は検査する前に、サーバ装置１００の後方又はシャーシ１１０の後方まで回り込み、又はシャーシ１１０を取り外して、サーバコンピュータ１３０の後方から関連線材を取り除くことなく、近い前方開口１１３からサーバコンピュータ１３０に対して容易に操作・交換・抽出を行い、更に、入出力インターフェースにそれぞれ挿接された信号送受信ケーブル１４０を取り除くことができるので、メンテナンス又は検査にかかる時間を短くすることができる。
【００２０】
また、本発明のサーバ装置１００におけるネットワーク交換機１２０の第１の入出力インターフェース１２２と各サーバコンピュータ１３０の第２の入出力インターフェース１３４とは、何れも前方開口１１３に位置し、更に前方開口１１３から露出するため、メンテナンス係はシャーシ１１０の前方のサーバの冷風入り口で回路のメンテナンスを行えばよい。したがって、上記の構成は、メンテナンス係がこの環境で長時間働くことに寄与し、メンテナンス係の健康を保障することができる。
【００２１】
本実施形態において、これらのサーバコンピュータ１３０は、それぞれこのシャーシ１１０の収納空間１１１の中に重なり合って配置され、前方開口１１３から露出する。より具体的には、ネットワーク交換機１２０とこれらのサーバコンピュータ１３０は、このシャーシ１１０の収納空間１１１の中に重なり合って配置される。例えば、ネットワーク交換機１２０は、前方開口１１３の中間位置に位置し、２つの部分のこれらのサーバコンピュータ１３０の間に介在する。また、このシャーシ１１０がオープンフレームにより作製されるが、本発明は、これに限定されず、他の実施形態としては、ケースの外観で現れてもよい。
【００２２】
本実施形態において、図２に示すように、これらの信号送受信ケーブル１４０は、シャーシ１１０の内壁１１５の前方開口１１３に近接する位置に固定される。具体的には、複数の信号送受信ケーブル１４０のそれぞれは、ケーブル体１４１と、第１のコネクタ１４２と、第２のコネクタ１４３と、を含む。第１のコネクタ１４２と第２のコネクタ１４３は、それぞれケーブル体１４１の２つの対向端部に位置する。第１のコネクタ１４２は、ネットワーク交換機１２０の１つの第１の入出力インターフェース１２２に電気的に接続され、第２のコネクタ１４３は、サーバコンピュータ１３０の１つの第２の入出力インターフェース１３４に電気的に接続される。ケーブル体１４１は、シャーシ１１０の内壁１１５の前方開口１１３に近接する位置に固定される。
【００２３】
全体としては、上記の信号送受信ケーブル１４０には、各サーバコンピュータ１３０の第２の入出力インターフェース１３４からシャーシ１１０の前方開口１１３に近接する内壁１１５に伸び、この内壁１１５に沿ってネットワーク交換機１２０の第１の入出力インターフェース１２２に伸びるものがある。従って、これらの信号送受信ケーブル１４０は、シャーシ１１０の内壁１１５に並んで固定され、前方開口１１３に近接する。また、ケーブルマネジメントに寄与するために、シャーシ１１０の内壁１１５に、これらの信号送受信ケーブル１４０の一部を収納し固定するケーブルマネジメント溝１１６が更に凹設される。しかしながら、ケーブルマネジメント溝１１６は、必要な素子ではなく、他の実施形態においては、コストを考慮して省略してもよい。
【００２４】
また、これらの信号送受信ケーブル１４０がシャーシ１１０の内壁１１５に固定されるように、本実施形態において、これらの信号送受信ケーブル１４０の一部は、導線層１４５のように並んで形成され、シャーシ１１０が、導線層１４５における信号送受信ケーブル１４０を覆い、且つこれらをシャーシ１１０の内壁１１５に固定する１つ又は複数のケーブルマネジメントカバー１５０を含む。これらのケーブルマネジメントカバー１５０がこの導線層１４５を間隔をあけて覆うことにより、ケーブルマネジメントカバー１５０により覆われたこれらの信号送受信ケーブル１４０がケーブルマネジメントカバー１５０から部分的に露出する。また、これらの信号送受信ケーブル１４０は、複数の導線層１４５のように並んで形成される。これらの導線層１４５は、互いに重ね合わせられ、それぞれ複数の信号送受信ケーブル１４０により構成される。
【００２５】
ネットワーク交換機１２０は、ホスト１２１を含む。ホスト１２１は、収納空間１１１の中に位置し、これらのサーバコンピュータ１３０の少なくとも１つに電気的に接続される。第１の入出力インターフェース１２２は、ホスト１２１の一方の面に位置し、前方開口１１３から露出する。
【００２６】
図１と図２に戻って、他の実施形態において、ネットワーク交換機１２０が複数ある場合、これらのネットワーク交換機１２０が、収納空間１１１の中に重なり合って位置し、複数のサーバコンピュータ１３０のそれぞれが、これらの信号送受信ケーブル１４０によってこれらのネットワーク交換機１２０に並列接続される。また、ネットワーク交換機１２０は、収納空間１１１の中に固定配置する。しかしながら、他の実施形態において、ネットワーク交換機は、スライドレール（不図示）によって収納空間内に摺動可能に配置してもよい。
【００２７】
図３は、図１の１つのサーバコンピュータ１３０の模式図である。図３に示すように、本実施形態において、各サーバコンピュータ１３０のそれぞれは、トレイ１３１と、マザーボードモジュール１３２と、を含む。トレイ１３１は、収納空間１１１（図１）の中に挿抜可能に位置し、例えば、スライドレール（不図示）によって摺動可能に収納空間１１１に入り又は収納空間１１１から引き出される。マザーボードモジュール１３２は、トレイ１３１に固定され、トレイ１３１により支持される。これらの第２の入出力インターフェース１３４は、マザーボードモジュール１３２に電気的に接続されて設けられ、トレイ１３１の一方の面を露出する。
【００２８】
より具体的には、マザーボードモジュール１３２は、マザーボード１３３と、複数の電子素子１３５と、を更に備える。例えば、中央制御プロセッサ、グラフィック制御表示ユニット、ネットワークインターフェースユニット、ハードディスクユニットや複数のメモリユニット等のような電子素子１３５は、マザーボード１３３に位置し、何れもマザーボード１３３に電気的に接続される。これらの第２の入出力インターフェース１３４は、例えば、表示接続ポート、ネットワーク接続ポートやＵＳＢ接続ポート等であり、何れもマザーボード１３３の一端に固着され、マザーボード１３３に電気的に接続され、トレイ１３１の一端から露出する。また、トレイ１３１は、収納空間１１１の外に引き出されやすくするために、ハンドル１３６を更に備える。ハンドル１３６は、トレイ１３１の収納空間１１１から露出する一端に位置して、メンテナンス係がハンドル１３６をつかむことでマザーボードモジュール１３２を連動させることに供する。
【００２９】
要するに、本発明のサーバ装置の設計によって、メンテナンス係は、サーバ装置をメンテナンスし又は検査する前に、シャーシの後方開口まで回り込み、又はシャーシを取り外して、後方開口から関連線材を取り除くことなく、近いシャーシの前方開口から複数のサーバコンピュータのそれぞれに対して操作・交換・抽出を行い、更に、線材を取り除くことができるので、メンテナンス又は検査にかかる時間を短くすることができる。
【００３０】
最後、上記で開示された各実施例において、本発明を限定するためのものではなく、当業者であれば、本発明に係る信号送受信ケーブルがシャーシの前方に設けられる精神と範囲から逸脱しない限り、多様の変更や修正を加えることができ、何れも本発明に保護されることができる。従って、本発明の保護範囲は、後の特許請求の範囲で指定した内容を基準とする。
【符号の説明】
【００３１】
１００  サーバ装置
１１０  シャーシ
１１１  収納空間
１１２  前面
１１３  前方開口
１１４  後面
１１５  内壁
１１６  ケーブルマネジメント溝
１２０  ネットワーク交換機
１２１  ホスト
１２２  第１の入出力インターフェース
１３０  サーバコンピュータ
１３１  トレイ
１３２  マザーボードモジュール
１３３  マザーボード
１３４  第２の入出力インターフェース
１３５  電子素子
１３６  ハンドル
１４０  信号送受信ケーブル
１４１  ケーブル体
１４２  第１のコネクタ
１４３  第２のコネクタ
１４５  導線層
１５０  ケーブルマネジメントカバー
Ｍ  領域
【図１】
2015153416.tif 000003
【図２】
2015153416.tif 000004
【図３】
2015153416.tif 000005